(57)【要約】    【構成】  番組記録再生装置１０は、放送番組を受信するチューナ１２と放送番組の映像信号及び音声信号を記録する記録再生回路１６とタイマ３４を有する。システムコントローラ３６が番組再生の指令をすると、記録された番組の映像信号及び音声信号は再生される。再生開始の際、現在時刻から番組の記録開始時刻を差し引いて時間差を算出し、設定時間以内であるか否か判別する。判別結果が肯定的であるとき、現在時刻がＣＲＴ３０にオンスクリーン表示され、あるいは音声メッセージがスピーカ３２から出力される。  【効果】  したがって、時刻表示された番組を記録して再生した場合、画面表示されている時刻を現在時刻と誤認するおそれがない。  【選択図】  図１
2007214735.tif 000002
【特許請求の範囲】
【請求項１】
放送番組を受信する受信手段と放送番組の映像信号及び音声信号を記録する記録手段と記録した番組の映像信号及び音声信号を再生する再生手段とタイマを備えた番組記録再生装置において、
前記記録手段によって番組の記録を開始した時刻を保存する番組記録開始時刻保存手段、
前記番組記録開始時刻に前記番組の現在位置時刻カウンタ値を加えることによって現在再生位置記録時刻を算出する第１算出手段、
前記タイマから取得した現在時刻から前記番組の現在再生位置記録時刻を差し引いて時間差を算出する第２算出手段、および
前記算出手段によって算出された時間差が所定時間以内であるとき現在時刻を通知する現在時刻通知手段を備える番組記録再生装置。
【請求項２】
前記算出手段は、時刻の午前及び午後を無視して算出する、請求項１記載の番組記録再生装置。
【請求項３】
前記算出手段は、日付を無視して算出する、請求項１または２記載の番組記録再生装置。
【請求項４】
前記所定時間を設定する第１設定手段、前記時刻の午前及び午後を無視するか否かを設定する第２設定手段、前記日付を無視するか否かを設定する第３設定手段をさらに備える請求項１乃至３記載の番組記録再生装置。
【請求項５】
前記第１乃至第３設定手段は、記録番組毎に設定する請求項４記載の番組記録再生装置。
【請求項６】
文字データが記録されている第１メモリと、
現在時刻に対応する前記文字データを取得し現在時刻文字信号を生成する手段を備え、
前記現在時刻通知手段は、前記再生手段によって再生された映像信号に前記現在時刻文字信号を重量して画面上に現在時刻を表示させる、請求項１乃至５のいずれかに記載の番組記録再生装置。
【請求項７】
音声データが記録されている第２メモリと、
現在時刻に対応する前記音声データを取得し現在時刻音声信号を生成する手段を備え、
前記現在時刻通知手段は、前記再生手段によって再生された音声信号に前記現在時刻音声信号を合成してスピーカに出力する、請求項１乃至６のいずれかに記載の番組記録再生装置。
【発明の詳細な説明】
【技術分野】
【０００１】
この発明は、番組記録再生装置に関し、特にたとえば、放送番組を受信する機能および放送番組を記録する機能を有する、番組記録再生装置に関する。
【背景技術】
【０００２】
従来のこの種の装置の一例が、特許文献１に開示されている。この従来の映像信号再生装置は、録画番組を再生中、予め設定した所定の時刻に、現在時刻を画面上に定期的に表示する。よって、利用者は現在時刻を見落とすおそれがなく、利用者の時間管理上有効である。
【特許文献１】特開平７−３０７０８３号公報
【発明の開示】
【発明が解決しようとする課題】
【０００３】
しかし、従来技術では、設定した所定の時刻になるまでの間は、現在時刻を確認できない。したがって、時刻表示された番組を録画して再生した場合、画面表示されている時刻を現在の時刻と誤認するおそれがある。また、利用者は、朝出勤の準備などで忙しいときには、時刻表示された番組を常に見ることができないことがあり、現在時刻を知ることができない。
【０００４】
それゆえに、この発明の主たる目的は、時刻表示された番組を録画して再生した場合、画面表示されている時刻を現在の時刻と誤認しない、番組記録再生装置を提供することである。
【課題を解決するための手段】
【０００５】
請求項１の発明に従う番組記録再生装置は、放送番組を受信する受信手段と放送番組の映像信号及び音声信号を記録する記録手段と記録した番組の映像信号及び音声信号を再生する再生手段とタイマを備えた番組記録再生装置において、記録手段によって番組の記録を開始した時刻を保存する番組記録開始時刻保存手段、タイマから取得した現在時刻から番組記録開始時刻を差し引いて時間差を算出する算出手段、および算出手段によって算出された時間差が所定時間以内であるとき現在時刻を通知する現在時刻通知手段を備える。
【０００６】
番組記録再生装置は、放送番組を受信する受信手段と放送番組の映像信号及び音声信号を記録する記録手段と記録した番組の映像信号及び音声信号を再生する再生手段とタイマを備える。番組記録開始時刻保存手段は、記録手段によって番組の記録を開始した時刻を保存する。算出手段は、タイマから取得した現在時刻から番組記録開始時刻を差し引いて時間差を算出する。現在時刻通知手段は、算出手段によって算出された時間差が所定時間以内であるとき現在時刻を通知する。
【０００７】
したがって、時刻表示された番組を記録して再生した場合、画面表示されている時刻を現在の時刻と誤認するおそれがない。
【０００８】
請求項２の発明に従う番組記録再生装置は、請求項１に従属し、前記第２算出手段は、時刻の午前及び午後を無視して算出する。
【０００９】
したがって、時刻表示された番組を記録して再生した場合、午前及び午後に関わらず画面表示されている時刻を現在の時刻と誤認するおそれがない。
【００１０】
請求項３の発明に従う番組記録再生装置は、請求項１または２に従属し、日付を無視して算出する。
【００１１】
したがって、時刻表示された番組を記録して再生した場合、日付に関わらず画面表示されている時刻を現在の時刻と誤認するおそれがない。
【００１２】
請求項４の発明に従う番組記録再生装置は、請求項１乃至３に従属し、所定時間を設定する第１設定手段、時刻の午前及び午後を無視するか否かを設定する第２設定手段、前記日付を無視するか否かを設定する第３設定手段をさらに備える。
【００１３】
請求項５の発明に従う番組記録再生装置は、請求項４に従属し、第１乃至第３設定手段は、記録番組毎に設定する。
【００１４】
請求項６の発明に従う番組記録再生装置は、請求項１乃至５のいずれかに従属し、文字データが記録されている第１メモリと、現在時刻に対応する文字データを取得し現在時刻文字信号を生成する手段を備え、現在時刻通知手段は、再生手段によって再生された映像信号に現在時刻文字信号を重量して画面上に現在時刻を表示させる、請求項１乃至５のいずれかに記載の番組記録再生装置。
【００１５】
請求項７の発明に従う番組記録再生装置は、請求項１乃至６のいずれかに従属し、音声データが記録されているメモリと、現在時刻に対応する前記音声データを取得し現在時刻音声信号を生成する手段を備え、現在時刻通知手段は、再生手段によって再生された音声信号に現在時刻音声信号を合成してスピーカに出力する。
【発明の効果】
【００１６】
時刻表示された番組を記録して再生した場合、画面表示されている時刻を現在の時刻と誤認するおそれがない。また、時刻表示されている番組を見ていなくても、音声メッセージによって正確な現在時刻を知ることができる。
【００１７】
この発明の上述の目的，その他の目的，特徴および利点は、図面を参照して行う以下の実施例の詳細な説明から一層明らかとなろう。
【発明を実施するための最良の形態】
【００１８】
図１を参照して、アンテナ１１は、屋外において所定の方向に向けて配置されており、放送局から送られてくる地上ディジタル放送信号を受信する。
【００１９】
チューナ１２は、映像・音声データを含む高周波ディジタル変調信号のうちから特定周波数の信号を取り出す。また、チューナ１２は、復調回路、逆インタリーブ回路、誤り訂正回路などを備えることにより、選択したディジタル変調信号を復調してトランスポートストリームを出力する。
【００２０】
デマルチプレクサ（ＤＥＭＵＸ）１４は、トランスポートストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、およびＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離する。デマルチプレクサ１４は、ビデオトランスポートパケットとオーディオトランスポートパケットをＡＶデコーダ１８に供給し、ＰＳＩに含まれるサービス情報をシステムコントローラ３６に供給する。サービス情報には、番組タイトル名、ジャンル情報等が含まれている。デマルチプレクサ１４にて分離されたサービス情報等は、メモリ３８に格納される。なお、前述のごとく、トランスポートストリームには複数のチャネルが多重化されており、このなかから任意のチャネルを選択するための処理は、前記ＰＳＩから任意のチャネルがトランスポートストリーム中でどのパケットＩＤで多重化されているかといったデータを取り出すことで可能となる。また、トランスポートストリームの選定（トランスポンダの選定）もＰＳＩ／ＳＩの情報に基づいて行なうことができる。
【００２１】
ＡＶデコーダ１８は、ビデオトランスポートパケットに対してデコードを行うビデオデコーダ、及びオーディオトランスポートパケットに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理回路２０に出力され、音声データは音声処理回路２２に出力される。
【００２２】
映像処理回路２０は、ＡＶデコーダ１８から出力された映像データを受け取り、Ｄ／Ａ変換を行って映像信号を生成する。音声信号処理回路２２は、ＡＶデコーダ２６から出力された音声データを受け取り、音声信号を生成する。
【００２３】
映像出力回路２６及び音声出力回路２８は、出力抵抗や増幅器等を備えて成る。映像出力回路２６からの出力は、ＣＲＴ３０に供給される。音声処理回路２８からの出力は、スピーカ３２に供給される。
【００２４】
メモリ３８は、時刻表示するための文字データ及び音声メッセージを出力するための音声メッセージ圧縮データが予め格納されている。
【００２５】
システムコントローラ３６は、タイマ３４から現在時刻データを取得する。システムコントローラ３６は、現在時刻データと対応する文字をメモリ３８から読み出して、ＯＳＤ回路４２に出力する。ＯＳＤ回路４２は、システムコントローラ３６から出力指示された文字情報に基づくビットマップデータを加算器２４に出力する。加算器２４は映像処理回路２０から出力された映像信号に組み込む処理を行う。これによって、現在時刻がＣＲＴ３０の画面上に表示される。
【００２６】
システムコントローラ３６は、番組のタイトル情報をメモリ３８から読み出して、ＯＳＤ回路４２に出力する。ＯＳＤ回路４２は、システムコントローラ３６から出力指示されたタイトル情報に基づくビットマップデータを加算器２４に出力する。加算器２４は映像処理回路２０から出力された映像信号に組み込む処理を行う。これによって、図２のような番組指定メニューで番組のタイトル名が表示される。
【００２７】
また、システムコントローラ３６は、タイマ３４から現在時刻データを取得する。システムコントローラ３６は、現在時刻データと対応する音声メッセージ圧縮データをメモリ３８から読み出して、音声デコーダ４６に出力する。音声デコーダ４６は、音声メッセージ圧縮データを復号して音声メッセージデータを生成して、音声加算器４８に出力する。音声加算器４８は、ＡＶデコーダ１８から出力された音声データに上記音声メッセージデータを合成する。これによって、現在時刻の音声メッセージがスピーカ３２から出力される。
【００２８】
リモコン４４は、番組記録再生装置１０に指令を送出するための送信機である。このリモコン４４に設けられた図示しないキーを操作すると、そのキーに対応した指令を意味する信号光（リモコン信号）が図示しない発光部から送出される。リモコン受光器４０は、信号光を受光し、これを電気信号に変換してシステムコントローラ３６に与える。
【００２９】
システムコントローラ３６は、リモコン４４から番組記録の指令を受けると、デマルチプレクサ１４に対してビデオトランスポートパケットとオーディオトランスポートパケットを記録再生回路１６に供給するように指令を送出する。システムコントローラ３６から指令を受けたデマルチプレクサ１４は、ビデオトランスポートパケットとオーディオトランスポートパケットを記録再生回路１６に供給する。記録再生回路１６は、デマルチプレクサ１４から供給されたビデオトランスポートパケット及びオーディオトランスポートパケットを記録する。このとき、タイマ３４から日付及び時刻データが読み出され、記録している番組のサービス情報と関連付けられてメモリ３８に保存される。つまり、番組の記録を開始した日付及び時刻がメモリ３８に格納される。
【００３０】
システムコントローラ３６は、リモコン４４から番組再生の指令を受けると、記録再生回路１６に対して記録されているビデオトランスポートパケット及びオーディオトランスポートパケットをＡＶデコーダ１８に供給するように指令を送出する。システムコントローラ３６から指令を受けた記録再生回路１６は、記録されているビデオトランスポートパケット及びオーディオトランスポートパケットをＡＶデコーダ１８に供給することによって、記録された番組の映像および音声が再生される。
【００３１】
図２を参照して、現在時刻の通知方法の設定について説明する。リモコン４４の操作によって、図２に示すような「現在時刻通知設定」のメニュー画面がＣＲＴ３０に表示される。記録番組を再生時に現在時刻を表示する場合、「再生時」のチェックボックスにチェックを入れる。上記設定条件で番組の再生を開始した際に、再生番組の記録開始時刻に現在再生位置の時刻カウンタ値を加えて、現在再生位置の記録時刻が算出される。そして、現在時刻から現在再生位置の記録時刻を差し引いた時間差が算出される。当該時間差が所定時間以内であるとき、現在時刻がＣＲＴ３０に表示またはスピーカ３２に音声出力される。当該所定時間は、図２の「現在時刻通知設定」メニューの「時間差」で設定される。メニューの「時間差」は、ポップアップメニューによって「常に」、「６０」、「１２０」、「２４０」等が選択される。例えば、「６０」を選択すると、再生番組の時間差が６０分以内のときに現在時刻が画面表示または音声出力される。これによって、再生番組に時刻が画面表示されている場合、画面表示されている時刻を現在時刻と誤認するおそれがない。「常に」を選択すると、時間差に関係なく、現在時刻が画面表示または音声出力される。図４（ａ）は、時刻表示されている番組を記録して、再生したときのＣＲＴ３０の画面である。当該番組の現在再生位置の記録時刻が午前６時３０分であり、現在時刻が午前８時３０分の場合、「時間差」は２時間と算出される。この場合、「現在時刻通知設定」のメニュー画面の「時間差」が「６０」分以内と設定されているとき、再生画面には現在時刻が画面表示または音声出力されない。一方、図４（ｂ）を参照して、番組の現在再生位置の記録時刻が午前６時３０分であり、現在時刻が午前７時１５分のとき、「時間差」は４５分と算出される。この場合、「現在時刻通知設定」のメニュー画面の「時間差」が「６０」分以内と設定されているとき、再生画面には現在時刻「７：１５」がオンスクリーン表示され、あるいは「７時１５分です」という音声メッセージが出力される。
【００３２】
「日付を無視」のチェックボックスにチェックを入れると、日付を無視して時間差が算出される。例えば、図２のメニューにおいて「日付を無視」がチェックされ、「時間差」が「６０」分以内に設定されている場合、現在時刻が１月２日の午前７時１０分であり、現在再生位置の記録時刻が１月１日の午前６時４５分のとき、時間差は２５分と算出され、現在時刻が画面表示または音声出力される。
【００３３】
「午前／午後を無視」のチェックボックスにチェックを入れると、午前／午後を無視して時間差が算出される。例えば、図２のメニューにおいて「午前／午後を無視」がチェックされ、「時間差」が「６０」分以内に設定されている場合、現在時刻が１月２日の午前７時１０分であり、現在再生位置の記録時刻が１月２日の午後７時３０分のとき、時間差は２０分と算出され、現在時刻が画面表示または音声出力される。
【００３４】
「表示」のチェックボックスにチェックを入れた場合、現在時刻を通知するときは現在時刻がＣＲＴ３０の画面上に表示される。「音声」のチェックボックスにチェックを入れた場合、現在時刻を通知するときは現在時刻の音声メッセージがスピーカ３２から出力される。
【００３５】
図２の「番組指定」メニューでは、記録した番組毎に現在時刻を表示するか否か設定できる。「朝のニュース」というタイトルの番組について、現在時刻通知設定をするときは、「朝のニュース」のチェックボックスにチェックを入れる。設定方法の詳細は上述した通りである。これによって、「朝のニュース」という番組を再生中に現在時刻通知の設定条件を満たした場合に現在時刻が通知される。
【００３６】
次に、図３を参照して、現在時刻の表示時間の間隔について説明する。「画面表示間隔」において、「常に表示」のチェックボックスにチェックすると、現在時刻が通知される場合には、現在時刻が画面上に常時表示される。一方、「○○分おきに表示」のチェックボックスにチェックして、「１０」分おきに表示と設定すると、現在時刻が通知される場合には、現在時刻が１０分おきに画面上に表示される。この場合、現在時刻が画面に表示される時間は５秒であるが、この時間に限定されない。図３を参照して、現在時刻の音声メッセージが出力される間隔について説明する。「音声出力間隔」において、「３０」分おきに出力と入力すると、現在時刻が通知される場合には、現在時刻の音声メッセージが３０分おきに出力される。
【００３７】
システムコントローラ３６は、図５及び６に示す制御プログラムを実行する。図５を参照して、ステップＳ１では、リモコン４４の操作によって再生終了コマンドがあったか否か判別し、ＹＥＳであれば番組の再生を終了する。
【００３８】
一方、ステップＳ１を判別してＮＯであればステップＳ３に進み、図２を参照して、現在時刻通知設定メニューで現在時刻の通知設定がされているか否か判別し、ＹＥＳであればステップＳ５に進む。ステップＳ５では、図２を参照して、現在時刻通知設定メニューの時間差について「常に」に設定がされているか否か判別し、ＹＥＳであれば図６を参照してステップＳ１９に進む。
【００３９】
一方、ステップＳ５を判別してＮＯであれば、ステップＳ７に進みタイマ３４から現在時刻データを取得する。ステップＳ８では、再生番組のサービス情報をメモリ３８から取得する。ステップＳ９では、メモリ３８から再生番組のサービス情報に対応する記録開始時刻を取得し、現在再生位置の時刻カウンタ値を加えて、現在再生位置の記録時刻が算出される。
【００４０】
ステップＳ１１では、図２を参照して、現在時刻通知設定メニューで午前と午後を無視する設定になっているか否か判別し、ＮＯであればステップＳ１３に進む。ステップＳ１３では、現在時刻から現在再生位置の記録時刻を差し引いて時間差を算出して、ステップＳ１７に進む。ステップＳ１５では、午前と午後を無視して、現在時刻から現在再生位置の記録時刻を差し引いて時間差を算出して、ステップＳ１７に進む。
【００４１】
ステップＳ１７では、図２を参照して、現在時刻通知設定メニューでＴ分以内と設定されている場合に上記算出した時間差がＴ分以下であるか否か判別し、ＹＥＳであればステップＳ１９に進む。ステップＳ１７を判別してＮＯであれば、ステップＳ４１に進む。図６を参照して、ステップＳ４１では、リモコン４４の操作によって再生終了コマンドがあったか否か判別し、ＹＥＳであれば番組の再生を終了する。
【００４２】
ステップＳ１９では、図２を参照して、現在時刻通知設定メニューで画面表示及び音声出力をする設定になっているか否か判別し、ＹＥＳであればステップＳ２１に進む。ステップＳ２１では、現在時刻をＣＲＴ３０の画面上に表示して、現在時刻の音声メッセージをスピーカ３２から出力する。ステップＳ２３では、リモコン４４の操作によって再生終了コマンドがあったか否か判別し、ＹＥＳであればステップＳ２５に進む。ステップＳ２５では、ＣＲＴ３０の画面上に表示されている現在時刻を非表示にし、現在時刻の音声メッセージの出力を停止して、番組の再生を終了する。
【００４３】
ステップＳ２７では、図２を参照して、現在時刻通知設定メニューで画面表示をする設定になっているか否か判別し、ＹＥＳであればステップＳ２９に進む。ステップＳ２９では、現在時刻をＣＲＴ３０の画面上に表示する。ステップＳ３１では、リモコン４４の操作によって再生終了コマンドがあったか否か判別し、ＹＥＳであればステップＳ３３に進む。ステップＳ３３では、ＣＲＴ３０の画面上に表示されている現在時刻を非表示にして、番組の再生を終了する。
【００４４】
ステップＳ２７の判別がＮＯであれば、図２を参照して、現在時刻通知設定メニューで音声出力をする設定になっているので、ステップＳ３５に進む。ステップＳ３５では、現在時刻の音声メッセージをスピーカ３２から出力する。ステップＳ３７では、リモコン４４の操作によって再生終了コマンドがあったか否か判別し、ＹＥＳであればステップＳ３９に進む。ステップＳ３９では、現在時刻の音声メッセージの出力を停止して、番組の再生を終了する。
【００４５】
以上の説明から分かるように、番組記録再生装置１０は、放送番組を受信するチューナ１２と放送番組の映像信号及び音声信号を記録する記録再生回路１６とタイマ３４を有する。システムコントローラ３６が番組再生の指令をすると、当該記録された番組の映像信号及び音声信号は再生される。再生開始の際、現在時刻から番組の現在再生位置の記録時刻を差し引いて時間差を算出し、設定時間以内であるか否か判別する(S13,S17)。判別結果が肯定的であるとき、現在時刻がＣＲＴ３０にオンスクリーン表示され、あるいは音声メッセージがスピーカ３２から出力される(S21,S29,S35)。
【００４６】
したがって、時刻表示された番組を記録して再生した場合、画面表示されている時刻を現在時刻と誤認するおそれがない。
【図面の簡単な説明】
【００４７】
【図１】この発明の一実施例を示すブロック図である。
【図２】現在時刻通知設定メニューの一例を示す図解図である。
【図３】現在時刻の画面表示時間の間隔の設定メニューの一例を示す図解図である。
【図４】現在時刻を画面に表示した一例を示す図解図である。
【図５】図１実施例の動作の一部を示すフロー図である。
【図６】図１実施例の動作の他の一部を示すフロー図である。
【符号の説明】
【００４８】
１０  …  番組記録再生装置
１２  …  チューナ
１４  …  デマルチプレクサ
１６  …  記録再生回路
１８  …  ＡＶデコーダ
２４  …  加算器
３０  …  ＣＲＴ
３２  …  スピーカ
３４  …  タイマ
３６  …  システムコントローラ
３８  …  メモリ
４２  …  ＯＳＤ回路
【図１】
2007214735.tif 000003
【図２】
2007214735.tif 000004
【図３】
2007214735.tif 000005
【図４】
2007214735.tif 000006
【図５】
2007214735.tif 000007
【図６】
2007214735.tif 000008